(57)【特許請求の範囲】
【請求項１】
微細な開孔を多数有する流動用空気分散板よりなる層床面の下方に流動用空気チャンバー、層床面の上方に粉体の流動域を有する流動層装置において、層床面の上部に、伝熱媒体の流路を水平方向に複数本内蔵し該流路が左右両端でそれぞれ分岐ヘッダーを介して各１本の伝熱媒体流通管に連結している長方形薄板状伝熱体を板面を垂直にした状態で複数枚並列に配置し且つ並列に配置された複数枚の薄板状伝熱体における一方の側の伝熱媒体流通管がすべて１本の伝熱媒体入口管、他方の側の伝熱媒体流通管がすべて１本の伝熱媒体出口管に接続されている伝熱ユニットが設置されており、且つ伝熱媒体出口管の側に粉体供給管、伝熱媒体入口管の側に粉体排出管を設けてあることを特徴とする流動乾燥又は流動冷却装置。
【請求項２】
微細な開孔を多数有する流動用空気分散板よりなる層床面の下方に流動用空気チャンバー、層床面の上方に粉体の流動域を有する流動層装置において、層床面の上部に、伝熱媒体の流路を水平方向に複数本内蔵し該流路が左右両端でそれぞれ分岐ヘッダーを介して各１本の伝熱媒体流通管に連結している長方形薄板状伝熱体を板面を垂直にした状態で複数枚並列に配置し且つ並列に配置された複数枚の薄板状伝熱体における一方の側の伝熱媒体流通管がすべて１本の伝熱媒体入口管、他方の側の伝熱媒体流通管がすべて１本の伝熱媒体出口管に接続されている第１の伝熱ユニットがその伝熱媒体出口管が粉体の流動域の一方の端に位置するように設置され、更に第1の伝熱ユニットと同じ構造の第２の伝熱ユニットが、第１の伝熱ユニットと粉層厚調節板を隔てて薄板状伝熱体の列方向に並べて、且つその伝熱媒体入口管が粉体の流動域の他方の端に位置するように設置され、そして第１の伝熱ユニットの伝熱媒体出口管の側に粉体供給管、第２の伝熱ユニットの伝熱媒体入口管の側に粉体排出管が設けられていることを特徴とする連続式流動乾燥及び流動冷却装置。
【発明の詳細な説明】
【０００１】
【産業上の利用分野】
本発明は、粉体を流動層内で乾燥又は冷却する装置及び方法に関するもので、特に、経済的観点から実用性のある風速範囲の面風速では気流に同伴されてしまい、安定した流動条件が保てない極小微粉粒子又は極軽比重の微粉体でも、極めて高い熱効率で乾燥又は冷却可能な流動乾燥又は流動冷却を行う装置及び方法に関する。
【０００２】
【従来の技術】
従来の伝熱媒体として空気のみを用いる流動乾燥（冷却）装置では、層床面積当たりの伝熱量は空気の入口／出口温度差と風量（面風速）によって定まる。一般に従来型流動乾燥（冷却）装置では、熱容量係数を大きくしてコストパーフォーマンスを高めるために、設計床面風速を上限値（粉体が飛散して流動層を形成しなくなる直前の値）近くで選ぶのが普通である。これにより必要床面積は小さくなり流動層本体装置のコストを抑えられる。この特性と設計方法の結果、従来型流動乾燥（冷却）装置は下記のような欠点を有する。
ａ）床面風速を大きくして行くに従い、粉体と空気の接触が十分でなくなり、結果として層各部の粉体加熱（冷却）温度と層を抜けた空気の温度との差が大きくなる傾向を持つ。このことは装置の熱容量係数は大きくなるものの、空気の有効温度幅（空気の入口／出口温度差）が小さくなり、熱効率を低下させる結果となる。これを防ぐためには粉層厚さを大きくして温度差を少なくする方法が取られているが、層内の滞留量が多くなり、層各部の層厚さの変化による流動ムラが生じ易い。
ｂ）コストパーフォーマンス上、許容上限熱風温度で運転するため、滞留粉の劣化、焦げが生じ易い。
ｃ）熱効率が低く、特に熱に不安定な粉体に対して低温熱風による流動乾燥を行う場合においては熱効率は２０％以下に過ぎない。
ｄ）スタートアップ後、定常状態になるまでに長時間を要する。
ｅ）熱容量係数が低いため、処理量が多いと装置寸法が非常に大となる。
ｆ）コストパーフォーマンスを決める目安が熱容量係数であるが、実用されている装置では２０００〜６０００Ｋｃａｌ／ｍ３  ｈ℃程度である。一般に１０００Ｋｃａｌ／ｍ３  ｈ℃以下では商業的には適合し難いと考えられる。このため従来型流動乾燥（冷却）装置では上限床面風速が２０ｃｍ／ｓ以下である微粉は対象外と考えられていた。なお熱容量係数は伝熱係数と装置の単位体積内の有効伝熱面積との積；伝熱係数は単位伝熱面積、単位時間、単位温度差の場合に移動する熱量；熱効率は加熱に使用した全熱量のうち、どれだけが有効に使用されたかを示す割合である。
【０００３】
また、伝熱媒体として底部が水平半円筒容器壁にジャケットを設け、加熱回転円盤を回転駆動させる撹拌接触伝熱の粉体加熱装置を応用し、水平半円筒容器壁のジャケットの代わりに流動用空気分散板を取り付け、加熱空気を吹き込み、加熱回転円盤の回転によって粉体を撹拌流動させる撹拌流動回転装置が提案されている。この装置では底部空気分散板が半円筒状になっており、円盤を静止させた状態では薄い粉層厚部からの吹き抜け現象が避けられないため、円盤を強制撹拌させて流動を安定させる必要がある。また機能的に加熱円盤の表面積の半分程度しか伝熱に寄与しない欠点がある。
この他、粉体の流動域内に垂直円管群を配した形式のものもあるが、流動を阻害しないため、円管群投影面積が層床面積に占める割合を少なくする（１０％程度）必要がある。また構造上、底部に管群ヘッダーが必要であり、流動阻害要因となり易い。この形式では、例えば層床面積の２倍の管群表面積を確保するためには流動粉層厚さを最低５００ｍｍ以上にする必要がある。構造的な要因から、高い床面風速が使える顆粒状粉体素材にのみ用いられており、結果的に、管群の接触伝熱量は空気の伝熱量を補う程度の効果であると考えられる。装置の優位性は認められるものの、操作性、洗浄性、保守容易性などに難があるため、一般ユーザーの間では、空気のみを熱媒とする通常型の流動乾燥（冷却）装置を越える装置としての評価を得られていない。
【０００４】
【発明が解決しようとする課題】
しかしながら、粉体粒子の真比重が小さい微粉粒子又は極微細粉体粒子では、気流に同伴されずに、安定した流動層を形成できる面風速が極めて低いため、従来の流動乾燥層又は流動冷却層では能力が極端に小さくなってしまい、装置が大型化しコストパフォーマンスが悪く、流動層による乾燥又は冷却は不適当と考えられていた。本発明は、従来法よりも効率の良い流動乾燥装置、流動冷却装置、又は流動乾燥冷却装置、特に実用的な風速範囲の面風速では気流に同伴されてしまい、安定した流動条件が保てない極小微粉粒子又は極軽比重の微粉体でも、極めて高い熱容量係数を有し且つ高い熱効率で乾燥又は冷却可能な流動乾燥装置、流動冷却装置、流動乾燥冷却装置又は流動乾燥冷却方法を提供することを目的とする。本発明は従来型流動乾燥（冷却）装置の持つ欠点を解消し、特に従来型流動乾燥（冷却）装置では対象外と考えられていた上限床面風速が２０ｃｍ／ｓ以下の微粉を効率よく乾燥することを可能にするものである。
【０００５】
【課題を解決するための手段】
本発明の流動乾燥又は流動冷却装置の基本的構成は、微細な開孔を多数有する流動用空気分散板よりなる層床面の下方に流動用空気チャンバー、層床面の上方に粉体の流動域を有する流動層装置において、層床面の上部に、伝熱媒体の流路を水平方向に複数本内蔵し該流路が左右両端でそれぞれ分岐ヘッダーを介して各１本の伝熱媒体流通管に連結している長方形薄板状伝熱体を板面を垂直にした状態で複数枚並列に配置し且つ並列に配置された複数枚の薄板状伝熱体における一方の側の伝熱媒体流通管がすべて１本の伝熱媒体入口管、他方の側の伝熱媒体流通管がすべて１本の伝熱媒体出口管に接続されている伝熱ユニットが設置されており、且つ伝熱媒体出口管の側に粉体供給管、伝熱媒体入口管の側に粉体排出管を設けてあることを特徴とする。
【０００６】
本発明装置と従来型流動乾燥（冷却）装置との本質的な相違は、本発明においては空気は主として粉体を浮遊流動させる動力源として使用され、加熱（冷却）は主として流動粉層に挿入された長方形薄板状伝熱体による接触伝熱とし、伝熱媒体として該長方形薄板状伝熱体中の狭流路を流れる液体を用いる点にある。更に従来型流動乾燥（冷却）装置の設計床面風速が安定上限値を使うのに対して、本発明では設計床面風速は安定下限床面風速（流動層が安定に維持される最低風速）を使う点に特徴的な相違点がある。本発明では熱容量係数は主として流動層内に挿入された長方形薄板状伝熱体の表面積に依存しており、低い床面風速においては流動用空気には殆ど依存しない。この特性により、流動用空気を純然たる動力源と考え、全く加熱、冷却処理しない外気を使うことも十分可能である。また必然的に、従来型流動乾燥（冷却）装置に比較して熱効率は極めて高い（８０〜９５％）。この場合さらに特徴的な点は、微粉になるほど熱効率が高くなり、熱容量係数も大きくなる点である。このことから理解されるように、本発明は従来型流動乾燥（冷却）装置では不可能な領域を効率よくカバーすると共に、従来型流動乾燥（冷却）装置の領域についても数倍の熱容量係数と熱効率を発揮できる。また従来型流動乾燥（冷却）装置のスタートアップ時のたち上がりの遅さに対して、空気に比べて１０００倍の比熱を持つ液状伝熱媒体を使うことから装置温度を極めて短時間で定常状態にすることができる。
【０００７】
これを添付図面により詳細に説明すると、基本的構成を示す側断面図である図１、長方形薄板状伝熱体の構造を示す図２、図２のＹ−Ｙ線における垂直断面図である図３、図１のＸ−Ｘ線における水平断面図で、伝熱ユニットの構成を説明するための図である図４に示すように、微細な開孔を多数有する流動用空気分散板２よりなる層床面の下方に流動用空気チャンバー３、層床面２の上方に粉体の流動域４を有する流動層装置１における層床面２の上部に、伝熱媒体の流路５を水平方向に複数本内蔵し該流路が左右両端でそれぞれ分岐ヘッダー６、７を介して各１本の伝熱媒体流通管８、９に連結している長方形薄板状伝熱体１０を板面を垂直にした状態で複数枚並列に配置した伝熱ユニット１１（図４参照）が設置されている。記号１２は空気入口管、記号１３はバッグフィルター、記号１４は空気出口管である。
【０００８】
伝熱ユニット１１において並列に配置された複数枚の薄板状伝熱体１０における伝熱媒体流通管８は、それぞれ別個に外部の高温伝熱媒体源又は低温伝熱媒体源に接続されていても良いが、装置の簡素化の点で、図４に示すように、一方の側の伝熱媒体流通管８がすべてヘッダー１５を介して１本の伝熱媒体入口管１６に接続されていることが好ましい。同様に、他方の側の伝熱媒体流通管９もすべてヘッダー１７を介して１本の伝熱媒体出口管１８に接続されていることが望ましい。
【０００９】
高い熱容量係数を得るためには、複数枚の薄板状伝熱体の合計伝熱面積を層床面積の３倍以上、好ましくは５倍以上、更に好ましくは７倍以上とすることが望ましい。また伝熱ユニットにおける複数枚の薄板状伝熱体は２０〜１００ｍｍのピッチで等間隔に配列されていることが望ましい。また安定な流動状態を維持するためには、薄板状伝熱体の高さが伝熱ユニットにおける複数枚の薄板状伝熱体相互の間隔の１〜１０倍の範囲であることが望ましい。
【００１０】
薄板状伝熱体１０の厚さは薄ければ薄いほど好ましいが、あまり薄すぎると強度上の問題を生じる。通常は１ｍｍ〜３ｍｍの範囲が望ましい。伝熱媒体の流路５の外表面は、図３に示すように薄板状伝熱体１０の板面より膨らんでいても良いが、膨らみの程度が大きいと粉層の安定した流動を阻害するので、膨らんだ部分の板面よりの高さは３ｍｍ以内とするのが望ましい。長方形薄板状伝熱体の材質としては熱伝導性が高く加工性に富む金属、具体的にはアルミニウム等が好ましいが、耐蝕性を必要とする場合は熱伝導性に難があるがステンレススチールを用いる。
【００１１】
層床面２を構成する微細な開孔を多数有する流動用空気分散板の具体的構造例をその平面図である図７及び図７のＺ−Ｚ線における断面図である図８により説明する。必要な強度を有する金属の平板２０に短冊状の切り込み２１が多数設けられ、その切り込み２１の一端は平板２０に接続したまま他端が折り曲げられて平板２０との間にスリット２２を構成する。空気は流動用空気チャンバー３からこのスリット２２を通じて粉体の流動域４に流入し（図１参照）、層床面２上の粉体を流動させる。本発明は、特に、極小微粉粒子又は極軽比重の微粉体でも極めて高い熱効率で乾燥又は冷却するものであるが、そのような粉体粒子に対して使用する場合は、層床面におけるスリット２２の合計開孔面積を層床面の面積の１％以下とすることが望ましい。
【００１２】
図１に示した装置を使用してバッチ式で流動乾燥又は流動冷却を行う場合は、薄板状伝熱体を有しない従来の流動乾燥装置又は流動冷却装置でしばしば用いられているように、粉体の流動域４以下の部分とその上部構造とを連結しているフランジ１９の部分で両者を分離し、流動域４の上部を解放した状態で粉体の供給又は抜き出しを行う方法を採用すれば良いが、図５に示すように、粉体の流動域へ粉体を供給する粉体供給管２３及び粉体の流動域から粉体を排出する粉体排出管２４を設けておけば、粉体の流動域４以下の部分とその上部構造とを分離するという操作を行うことなしに乾燥又は冷却を行うことができる。またバッチ式で使用する場合、伝熱媒体入口管１６には高温液状伝熱媒体と低温液状伝熱媒体を交互に切り替えて供給できるように配管しておけば乾燥に引き続いて冷却を行うことができる。
【００１３】
従来の流動加熱乾燥装置又は流動冷却装置では、粉体の流動用の空気のみが伝熱媒体として使用されているので、層床面積当たりの伝熱量は空気の粉体流動域における入口／出口温度差と風量（面風速）によって決まる。粉体粒子の真比重が大きく且つ粒子径が大きい場合には高い面風速を採用できる（粉体粒子の飛散が少ない）ため床面積当たり高い伝熱量を得ることができるが、粉体粒子の真比重が小さい場合や粒子径が小さい場合には高い面風速を採用できないので床面積当たりの伝熱量が小さく、層床面積又は処理時間を大にする必要があり、設備効率が悪い。
【００１４】
これに対して本発明では粉体の加熱又は冷却の熱は主として液状伝熱媒体（通常は温水又は冷水）から長方形薄板状伝熱体を通じて授受されるので、空気による伝熱は少なくて良い。極端な場合、流動用空気として室温の空気を使用し、流動用空気自体の昇温又は降温も長方形薄板状伝熱体を通じて行うようにすることもできる。従って流動用空気の面風速は最小流動化速度（流動化開始速度）以上であれば良いので、粉体粒子の真比重が小さい場合又は粒子径が小さい場合でも効率よく実施できる。図１において、外部の空気源（図示せず）から所定流量で供給された空気は空気入口管１２から流動用空気チャンバー３に入り、層床面２の微細な開口を通じて所定の床面速度で粉体の流動域４に導入され、流動域４に存在する粉体を流動させる。長方形薄板状伝熱体１０に高温又は低温の液状伝熱媒体を供給すれば、熱は薄板状伝熱体１０を通じて授受され、粉体は加熱乾燥又は冷却される。液状伝熱媒体／伝熱板／流動粉体の系における伝熱板の熱伝達率は１００Ｋｃａｌ／ｍ２・ｈｒ・℃又はそれ以上と言う大きい値を示すので、適当な高さの薄板状伝熱体１０を適当枚数使用するように設計すれば、従来法に比べて三分の一以下の床面積で済み、熱効率も高い。熱の授受は主として薄板状伝熱体１０の表面で行われるので、流動時の粉層厚さは薄板状伝熱体１０の高さと同程度になるように操業するの最も効率的である。
【００１５】
粉体の乾燥又は冷却を連続的に行う場合、図５に示すように、伝熱媒体出口管１８の側に粉体供給管２３、伝熱媒体入口管１６の側に粉体排出管２４を設けてあることが望ましい。このような装置の層床面２に流動用空気チャンバー３から空気を供給し、伝熱ユニットの伝熱媒体入口管１６に高温液状伝熱媒体又は低温液状伝熱媒体を供給すると、粉体供給管２３から供給された粉体は流動しながらプレート状伝熱体とそれに隣接するプレート状伝熱体との間を通過して粉体排出管２４の方へ移動し、液状伝熱媒体と向流しつつ加熱乾燥又は冷却されて粉体排出管２４から抜き出される。空気の床面風速は粉体の流動化開始速度以上であれば良く、粉体粒子の真比重が小さい場合又は粒子径が小さい場合には２０ｃｍ／秒以下とすることが望ましい。
【００１６】
図６に示したのは粉体を連続的に流動乾燥及び流動冷却する装置であって、
微細な開孔を多数有する層床面２の下方に流動用空気チャンバー２、層床面の上方に粉体の流動域を有する流動層装置１において、層床面２の上部に、伝熱媒体の流路を水平方向に複数本内蔵し該流路が左右両端でそれぞれ分岐ヘッダーを介して各１本の伝熱媒体流通管に連結している長方形薄板状伝熱体を板面を垂直にした状態で複数枚並列に配置し且つ並列に配置された複数枚の薄板状伝熱体における一方の側の伝熱媒体流通管がすべて１本の伝熱媒体入口管１６Ａ、他方の側の伝熱媒体流通管がすべて１本の伝熱媒体出口管１８Ａに接続されている第１の伝熱ユニット１１Ａがその伝熱媒体出口管１８Ａが粉体の流動域の一方の端に位置するように設置され、更に第１の伝熱ユニットと同じ構造の第２の伝熱ユニット１１Ｂが、第１の伝熱ユニット１１Ａと粉層厚調節板２５を隔てて薄板状伝熱体の列方向に並べて、且つその伝熱媒体入口管１６Ｂが粉体の流動域の他方の端に位置するように設置され、そして第１の伝熱ユニットの伝熱媒体出口管１８Ａの側に粉体供給管２３、第２の伝熱ユニットの伝熱媒体入口管１６Ｂの側に粉体排出管２４が設けられていることを特徴とする。このような装置の層床面に流動用空気チャンバーから空気を供給し、第１の伝熱ユニットの伝熱媒体入口管１６Ａに高温液状伝熱媒体を供給し、第２の伝熱ユニットの伝熱媒体入口管１６Ｂに低温液状伝熱媒体を供給すると、粉体供給管から供給された粉体は流動しながら第１の伝熱ユニット１１Ａにおけるプレート状伝熱体とそれに隣接するプレート状伝熱体との間を通過し、高温液状伝熱媒体と向流しつつ加熱乾燥され、次いで粉層厚調節板２５を越えて第２の伝熱ユニット１１Ｂの領域へ移動し、粉体排出管２４の方へ移動しながら第２の伝熱ユニット１１Ｂにおけるプレート状伝熱体とそれに隣接するプレート状伝熱体との間を通過し、低温液状伝熱媒体と向流しつつ冷却されて粉体排出管２４から排出される。第１及び第２の伝熱ユニットにおける流動用空気として室温の空気を用いる場合は以上説明した通りであるが、第１の伝熱ユニットにおける粉体の流動兼加熱用空気として高温の空気、第２の伝熱ユニットにおける粉体の流動兼冷却用空気として低温の空気を用いる場合には、第１の伝熱ユニットと第２の伝熱ユニットの下部に仕切板２７を設け流動用空気チャンバーを第１の流動用空気チャンバー３Ａと第２の流動用空気チャンバー３Ｂとに分離して、第１の流動用空気チャンバー３Ａには高温の空気第２の流動用空気チャンバー３Ｂには低温の空気を導入するようにしても良い。空気の床面風速は粉体の流動化開始速度以上であれば良く、粉体粒子の真比重が小さい場合又は粒子径が小さい場合には２０ｃｍ／秒以下とすることが望ましい。
【００１７】
本発明の装置を使用して、湿潤粉体の造粒及び乾燥を行うこともできる。
【００１８】
本発明の利点は下記の通りである。
ａ）極小微粉粒子又は極軽比重の微粉体でも極めて高い熱効率で乾燥又は冷却することができ、特に従来型流動乾燥（冷却）装置では対象外と考えられていた上限床面風速が２０ｃｍ／ｓ以下の微粉を効率よく乾燥又は冷却することができる。
ｂ）熱容量係数が高いので、装置の所要床面積が従来型流動乾燥（冷却）装置の二分の一以下で済む。
ｃ）従来の加熱空気による流動乾燥装置或は除湿冷風による流動冷却装置は大容量の空気加熱器、ブラインクーラー等による冷却器、除湿器、再加熱器が必要であるが、本発明の流動乾燥装置或は流動冷却装置では、例えば１５℃程度の露点にまで冷却できる小型汎用スポットエアクーラー等の除湿器があれば良く、従来の空気加熱器等は不要になる。従って設備費がすくなくて済む。
ｄ）高温の空気を大量に使用する必要がないので粉末の劣化や焦げを生じず、また低温で溶融する粉体の乾燥でも溶融温度以下の温水を使うことにより効率良く乾燥できる。
ｅ）スタートアップ後、極めて短時間で定常状態になるので操業が容易で乾燥（冷却）粉末の品質も安定する。
ｆ）熱効率が高く、運転経費を節減できる。
【００１９】
以下実施例により本発明を具体的に説明し、比較例との効果の相違を示すが、本発明はこれらの実施例に限定されるものではない。
【００２０】
【実施例１及び比較例１】
平均粒子径２５μの蛋白質分解物微粉を、図６に示した構成の本発明の連続式流動乾燥・冷却装置を使用して乾燥・冷却を行った場合（実施例１）と、従来型の流動乾燥装置及び流動冷却装置を使用して乾燥・冷却を行った場合（比較例１）の性能比較を行った。使用装置の諸元、操業条件及び性能比較結果は下記の通りである。但し、○印＝設定値、△印＝計算値、◎印＝測定値である。
0003581729.tif 000002
0003581729.tif 000003
0003581729.tif 000004
【００２１】
【実施例２及び比較例２】
平均粒子径５０μの脱脂粉乳を、図６に示した構成の本発明の連続式流動乾燥・冷却装置を使用して乾燥・冷却を行った場合（実施例２）と、従来型の流動乾燥装置及び流動冷却装置を使用して乾燥・冷却を行った場合（比較例２）の性能比較を行った。使用装置の諸元、操業条件及び性能比較結果は下記の通りである。但し、○印＝設定値、△印＝計算値、◎印＝測定値である。
0003581729.tif 000005
0003581729.tif 000006
0003581729.tif 000007
【００２２】
【実施例３及び比較例３】
平均粒子径  ９００μの調味料顆粒を、図６に示した構成の本発明の連続式流動乾燥・冷却装置を使用して乾燥・冷却を行った場合（実施例３）と、従来型の流動乾燥装置及び流動冷却装置を使用して乾燥・冷却を行った場合（比較例３）の性能比較を行った。使用装置の諸元、操業条件及び性能比較結果は下記の通りである。但し、○印＝設定値、△印＝計算値、◎印＝測定値である。
0003581729.tif 000008
0003581729.tif 000009
0003581729.tif 000010
【００２３】
比較例の従来型流動層諸元を１００とした場合の実施例での値を抜き出して比較すると、
0003581729.tif 000011
【００２４】
上記実施例及び比較例から明らかなように、本発明は流動乾燥及び流動冷却処理粉体の平均粒子径が小さいほど、従来型流動乾燥及び流動冷却装置に対し優位性を示す。特に床面積と乾燥での熱効率が格段に優れていることがわかる。実施例２は、従来型流動層で冷却は温度差が取れるため問題ないとしても、乾燥は温度差が大きく取れないため商業的に限界に近い平均粒子径である。本発明によれば、床面積、熱効率共に２次乾燥装置として高いコストパーフォーマンスを発揮する。実施例３は平均粒子径が大きく、速い床面風速が使えるため、従来型流動層が最も得意とする範囲に属するが、この場合でも、本発明によれば層床面積は半分で済み、熱効率も高いため、十分な優位性を示す。
【図面の簡単な説明】
【図１】本願発明の基本的構成を示す側断面図である。
【図２】本願発明で使用する長方形薄板状伝熱体の構造を説明するための図である。
【図３】図２のＹ−Ｙ線における断面図である。
【図４】図１のＸ−Ｘ線における断面図で、伝熱ユニットの構成を示す図である。
【図５】本発明の他の実施態様を示す側断面図である。
【図６】本発明の他の実施態様を示す側断面図である。
【図７】微細な開孔を多数有する層床面の平面図である。
【図８】図７のＺ−Ｚ線における断面図である。
【符号の説明】
１  流動層装置
２  層床面（微細な開孔を多数有する流動用空気分散板）
３  流動用空気チャンバー
３Ａ  流動用空気チャンバー
３Ｂ  流動用空気チャンバー
４  粉体の流動域
５  伝熱媒体の流路
６  分岐ヘッダー
７  分岐ヘッダー
８  伝熱媒体流通管
９  伝熱媒体流通管
１０  長方形薄板状伝熱体
１１  伝熱ユニット
１１Ａ  第１の伝熱ユニット
１１Ｂ  第２の伝熱ユニット
１２  空気入口管
１２Ａ  第１の空気入口管
１２Ｂ  第２の空気入口管
１３  バッグフィルター
１４  空気出口管
１５  ヘッダー
１６  伝熱媒体入口管
１６Ａ  第１の伝熱ユニットの伝熱媒体入口管
１６Ｂ  第２の伝熱ユニットの伝熱媒体入口管
１７  ヘッダー
１８  伝熱媒体出口管
１８Ａ  第１の伝熱ユニットの伝熱媒体出口管
１８Ｂ  第２の伝熱ユニットの伝熱媒体出口管
１９  フランジ
２０  平板
２１  短冊状の切り込み
２２  スリット
２３  粉体供給管
２４  粉体排出管
２５  第１の伝熱ユニットの粉層厚調節板
２６  第２の伝熱ユニットの粉層厚調節板
２７  流動用空気チャンバーの仕切板
【図１】
0003581729.tif 000012
【図２】
0003581729.tif 000013
【図３】
0003581729.tif 000014
【図４】
0003581729.tif 000015
【図５】
0003581729.tif 000016
【図６】
0003581729.tif 000017
【図７】
0003581729.tif 000018
【図８】
0003581729.tif 000019